(57)【特許請求の範囲】
【請求項１】
コンタクト及びコンタクト受の先端部が略Ｕ字状に折返され、この折返し部分同士が接触して通電を図るコネクタであって、コンタクト受が先端部の折返し部分と折返し部分とは逆向きに曲げられた保持部とで略Ｓ字状に曲げられ、ハウジングには保持部を保持するハウジング突部が形成され、保持部がハウジング突部に保持されていることを特徴とするコネクタ。
【請求項２】
コンタクト及びコンタクト受間にロック機構を構成して成ることを特徴とする請求項１記載のコネクタ。
【請求項３】
ロック機構は、円弧状の突部と突部を係入させる凹部であることを特徴とする請求項２記載のコネクタ。
【発明の詳細な説明】
【０００１】
【発明の属する技術分野】
本発明は、主として、プリント配線板に付設されてプリント配線板同士を電気的及び機械的に接続するコネクタに関し、詳しくは、電気的に安定した接続を果たしながら、挿抜力を小さくし、かつ、接続高さを低くしようとする技術に係るものである。
【０００２】
【従来の技術】
従来、プリント配線板に付設されてプリント配線板同士を電気的及び機械的に接続するコネクタＡは、図８（ａ）に示すように、コンタクト１もしくはコンタクト受２のうち、コンタクト受２にのみばね弾性を持たせているのであり、このように、一方のみにばね弾性力を持たせるものにおいて、安定した接触力を得るためには、相当の弾性力を付与しなければならず、コンタクト１とコンタクト受２を接続したり、抜き外すのに、相当の力を要することになる。しかも、ばね弾性を備えていないコンタクト１をハウジング９に保持する場合に、図８（ｃ）に示すように、コンタクト１の圧入長Ｌが短いと、そのコンタクト１の保持力が弱くなるのであり、そこで、圧入長Ｌを長くする場合には、結果として、コネクタＡの高さが高くなり、また、プリント配線板間の距離が長くなるものである。
【０００３】
また、図８（ｄ）に示すように、チューニングホーン（音叉）形のコンタクト受２を採用する場合には、対向する切断突出面Ｃ，Ｃ間にコンタクト１を挿入させて受けることになり、ばね板を曲げたロール面による接触に比べて、安定した接触状態を得ることができず、また、たわみ量が少ないから、少しの動きで接触力が落ち、かつ、ばねが早く劣化する等という問題があった。
【０００４】
【発明が解決しようとする課題】
本発明はこのような問題を解消しようとするものであり、その目的とするところは、電気的に安定した接続を果たしながら、挿抜力を小さくし、かつ、接続高さを低くすることができるコネクタを提供するにある。
【０００５】
【課題を解決するための手段】
請求項１の発明においては、コンタクト１及びコンタクト受２の先端部が略Ｕ字状に折返され、この折返し部分３，３同士が接触して通電を図るコネクタであって、コンタクト受２が先端部の折返し部分３と折返し部分３とは逆向きに曲げられた保持部８とで略Ｓ字状に曲げられ、ハウジング９には保持部８を保持するハウジング突部５が形成され、保持部８がハウジング突部５に保持されていることを特徴とするものである。
【０００６】
請求項２の発明においては、コンタクト１及びコンタクト受２間にロック機構４を構成して成ることを特徴とするものである。
請求項３の発明においては、ロック機構４は、円弧状の突部５と突部５を係入させる凹部６であることを特徴とするものである。
【０００７】
請求項１の発明においては、コンタクト１及びコンタクト受２の両者のばね弾性により、充分なたわみ量を得ることができ、接続後に多少の動きが生じても接触の安定性を低下させることがなく、ばね性の劣化を回避でき、長期にわたって安定的な接触を得ることができ、それでいて、挿抜力を小さくできる。
更に、略Ｕ字状に形成された各折返し部分３，３を弾接させて、曲面同士の接触がおこなえ、一層、接触状態を安定化させることができる。
更に、コンタクト受２は略Ｓ字状に屈曲されていて、ハウジング９の高さを高くしなくてもよく、コネクタの高さを低くでき、例えば、プリント配線板同士を接続する場合に、プリント配線板間の距離を短くできる。
【０００８】
請求項２の構成においては、請求項１の作用に加えて、一層、確実な接触状態を得ることができる。
請求項３の構成においては、請求項２の作用に加えて、ロック機構４は、円弧状の突部５と突部５を係入させる凹部６であるから、ロック機構４の構成が簡素化され、その製作が容易である。
【００１０】
【発明の実施の形態】
コネクタＡはソケットＳとヘッダＨとから構成され、ソケットＳに多数個のばね板製のコンタクト受２を備え、ヘッダＨに多数個のばね板製のコンタクト１を備えている。ソケットＳ及びヘッダＨはプリント配線板（図示せず）に取付けられ、そのコンタクト受２及びコンタクト１はプリント配線板のパターン回路に電気的に接続されている。コンタクト受２にコンタクト１を電気的及び機械的に接続することで、ソケットＳとヘッダＨを接続し、プリント配線板同士を接続するのである。
【００１１】
図４（ｂ）及び図５（ｂ）はコンタクト受２を示していて、平坦な導電部１０には逆Ｕ字状の保持部８が曲成され、保持部８の先端部にはＵ字状の折返し部分３が形成され、全体として、略Ｓ字状に曲げられている。逆Ｕ字状の保持部８には、挿入用突部１３と圧入用爪１４が形成されている。このようなコンタクト受２は、ソケットＳの合成樹脂成形品のハウジング９に取付けられるのである。即ち、ハウジング９には図４（ａ）に示すように、嵌め込み溝１１と被保持部としてのハウジング突部７が多数個形成されている。しかして、コンタクト受２の逆Ｕ字状の保持部８をハウジング突部７に弾性的に係合させ、挿入用突部１３を嵌め込み溝１１に挿入し、圧入用爪１４を仕切り壁１５の壁面に圧接することで、多数個のコンタクト受２をハウジング９に圧入して取付けている。
【００１２】
図６（ｂ），図７（ｂ）はコンタクト１を示していて、平坦な導電部１０には略Ｕ字状に折返し部分３が曲げられ、また、挿入突部１７及び圧入爪１６が形成されている。このようなコンタクト１は、ヘッダＨの合成樹脂成形品のハウジング９に上記コンタクト受２と同様に圧入して取付けられるのである。コンタクト１はハウジング９に同時成形されてもよいものである。
【００１３】
しかして、図１（ｂ）に示すように、コンタクト１とコンタクト受２の両方にＵ字状に曲げた折返し部分３，３においてばね弾性を持たせて弾性接触を図るのであり、コンタクト１及びコンタクト受２の両者のばね弾性により、充分なたわみ量を得ることができるのであり、接続後に多少の動きが生じても接触の安定性を低下させることがなく、ばね性の劣化を回避でき、長期にわたって安定的な接触を得ることができ、それでいて、挿抜力を小さくできるのである。
【００１４】
この場合、コンタクト受２には、ハウジング９から延出されたハウジング突部７を挿入保持するＵ字状の保持部８が形成され、保持部８にハウジング突部７を保持していて、コンタクト受２の保持強度を高めるために、ハウジング９の高さを高くしなくてもよく、コネクタＡの高さを低くでき、例えば、プリント配線板同士を接続する場合に、プリント配線板間の距離を短くできるのである。
【００１５】
ところで、コンタクト１及びコンタクト受２間にロック機構４を構成しているのであり、確実な接触状態を得ることができるのである。具体的には、図４（ｂ）及び図６（ｂ）に示すように、ロック機構４は、コンタクト受２に円弧状の突部５が形成され、コンタクト１には突部５を係入させる凹部６が形成されているのである。そして、ロック機構４の構成は種々設計変更可能である。
【００１６】
【発明の効果】
請求項１の発明においては、コンタクトとコンタクト受とを接触させて通電を図るコネクタであって、コンタクトとコンタクト受の両方にばね弾性を持たせて弾性接触を図るから、コンタクト及びコンタクト受の両者のばね弾性により、充分なたわみ量を得ることができ、接続後に多少の動きが生じても接触の安定性を低下させることがなく、ばね性の劣化を回避でき、長期にわたって安定的な接触を得ることができ、それでいて、挿抜力を小さくできるという利点がある。
更に、コンタクト及びコンタクト受のいずれもがその先端部が略Ｕ字状に折返され、この折返し部分同士を弾接させるから、略Ｕ字状に形成された各折返し部分を弾接させて、曲面同士の接触がおこなえ、一層、接触状態を安定化させることができるという利点がある。
更に、コンタクト受は略Ｓ字状に屈曲されていて、ハウジングの高さを高くしなくてもよく、コネクタの高さを低くでき、例えば、プリント配線板同士を接続する場合に、プリント配線板間の距離を短くできる。
【００１７】
請求項２の発明においては、請求項１の効果に加えて、コンタクト及びコンタクト受間にロック機構を構成しているから、一層、確実な接触状態を得ることができるという利点がある。
【００１８】
請求項３の発明においては、請求項２の効果に加えて、ロック機構は、円弧状の突部と突部を係入させる凹部であるから、ロック機構の構成が簡素化され、その製作が容易であるという利点がある。
【図面の簡単な説明】
【図１】本発明の実施の一形態を示し、（ａ）は接続前の断面図、（ｂ）は接続後の断面図である。
【図２】（ａ）はソケットの平面図、（ｂ）は側面図である。
【図３】（ａ）はヘッダの平面図、（ｂ）は側面図である。
【図４】（ａ）はソケットの一部破断した斜視図、（ｂ）はコンタクト受の斜視図である。
【図５】（ａ）はソケットの斜視図、（ｂ）はコンタクト受の斜視図である。
【図６】（ａ）はヘッダーの一部破断した斜視図、（ｂ）はコンタクトの斜視図である。
【図７】（ａ）はヘッダーの斜視図、（ｂ）はコンタクトの斜視図である。
【図８】従来例を示し、（ａ）は接続前の断面図、（ｂ）は接続後の断面図、（ｃ）は部分拡大断面図、（ｄ）は他の従来例のコンタクト受の部分斜視図である。
【符号の説明】
１  コンタクト
２  コンタクト受
３  折返し部分
４  ロック機構
５  突部
６  凹部
７  ハウジング突部
８  保持部
Ａ  コネクタ
【図１】
0003617220.tif 000002
【図２】
0003617220.tif 000003
【図３】
0003617220.tif 000004
【図４】
0003617220.tif 000005
【図５】
0003617220.tif 000006
【図６】
0003617220.tif 000007
【図７】
0003617220.tif 000008
【図８】
0003617220.tif 000009